(57)【要約】    【課題】収容機器を集約配置することによる設置スペースの低減で小型化しつつ、操作性及び意匠性を向上させる。    【解決手段】防災機器収容箱１０の位置表示灯１４に開口部及び又は切欠部が設けられ、開口部に音響孔１６が設けられる。位置表示灯１４は、防災機器収容箱１０の露出面に沿った略平坦な額縁表示枠２８ａを有し、額縁表示枠２８ａで仕切られた開口部に音響孔１６が設けられる。位置表示灯１４の額縁表示枠２８ａは拡散透光部材であり、額縁表示枠２８ａの背後に設けたＬＥＤからの光により拡散透光部材を照明する。【選択図】図１
2020115319.tif 000002
【特許請求の範囲】
【請求項１】
表示灯と音響孔領域が一ヶ所に集約して設けられたことを特徴とする防災装置。
【請求項２】
請求項１記載の防災装置に於いて、
前記表示灯に開口部及び又は切欠部が設けられ、前記開口部及び又は前記切欠部の、少なくとも何れか一つに前記音響孔が設けられたことを特徴とする防災装置。
【請求項３】
発信機、表示灯及び音響孔領域が一ヶ所に集約して設けられたことを特徴とする防災装置。
【請求項４】
請求項３記載の防災装置に於いて、前記発信機を囲むように前記表示灯が設けられ、前記発信機と前記表示灯の隙間部、前記表示灯の開口部、及び前記表示灯の切欠部の、少なくとも何れか一つに音響孔が設けられことを特徴とする防災装置。
【請求項５】
請求項１又は３記載の防災装置に於いて、
前記表示灯は、前記防災装置の露出面に沿った略平坦な表示枠を有し、前記表示枠は拡散透光部材であり、前記拡散透光部材を照明する光源が前記表示枠の背後に設けられたことを特徴とする防災装置。
【請求項６】
請求項５記載の防災装置に於いて、前記表示灯の前記表示枠は、額縁状、格子状、環状又は分割された環状に形成されたことを特徴とする防災装置。
【請求項７】
請求項１又は３記載の防災装置に於いて、前記表示灯に前記音響孔が設けられたことを特徴とする防災装置。
【請求項８】
表示灯及び／又は前記表示灯の背後に音響孔として機能する音響路が設けられたことを特徴とする防災装置。
【請求項９】
表示及び音で各々所定情報を報知する防災装置に於いて、前記表示灯に音響ホーンを形成し、当該音響ホーンを介して音により各々前記所定情報を出力させることを特徴とする防災装置。
【請求項１０】
収容ケースに、表示灯と音響孔領域が一ヶ所に集約して設けられ、
前記表示灯は前記収容ケースの前面及び側面に表示面を有することを特徴とする防災装置。
【請求項１１】
請求項１０記載の防災装置に於いて、前記表示灯の表示面は、前記音響孔領域の一部又は全部を囲む位置若しくは上下及び又は左右から挟む位置に設けられたことを特徴とする防災装置。
【請求項１２】
請求項１１記載の防災装置に於いて、前記表示灯の表示枠の前面に前記音響孔が設けられたことを特徴とする防災装置。
【請求項１３】
請求項１、３又は１０記載の防災装置に於いて、前記表示灯の表示面と前記音響孔領域とが、少なくとも一部が相互に重複するように配置されていることを特徴とする防災装置。
【請求項１４】
収容ケースに、発信機、表示灯及び音響孔領域が一ヶ所に集約して設けられ、
前記表示灯は前記収容ケースの前記前面及び側面に表示面を有することを特徴とする防災装置。
【請求項１５】
請求項１４記載の防災装置に於いて、前記表示灯の表示面は、前記発信機の周囲を囲む位置、前記発信機の周囲の一部を囲む位置若しくは前記発信機を上下及び又は左右から挟む位置に設けられ、前記表示灯の少なくとも前面の前記表示面に前記音響孔が設けられたことを特徴とする防災装置。
【請求項１６】
請求項３又は１４記載の防災装置に於いて、
前記発信機は、発信機本体と保護板を備えた押釦スイッチ及び保守扉とに分離され、
前記押釦スイッチ及び前記保守扉は前記収容ケースの前面に設けられ、前記発信機本体は前記収容ケース内に配置されたことを特徴とする防災装置。
【請求項１７】
請求項１４記載の防災装置に於いて、前記表示灯の表示面は、前記収容ケースの前面又は前記収容ケースに前面及び側面に対して面一とすることを特徴とする防災装置。
【請求項１８】
請求項１４記載の防災装置に於いて、前記発信機の露出部の頂部露出高さは前記表示面の前面の表示面露出高さ以下とすることを特徴とする防災装置。
【請求項１９】
音響孔領域、発信機配置領域及び表示灯が、設置状態における上下又は左右方向で配置位置が少なくとも一部重複するように配置されたことを特徴とする防災装置。
【請求項２０】
請求項１９記載の防災装置に於いて、前記表示灯は、設置状態における収容ケース左右側面の少なくとも一方に表示面を有することを特徴とする防災装置。
【請求項２１】
請求項１９記載の防災装置に於いて、前記表示灯は、設置状態における収容ケース左右側面の少なくとも一方、及び又は上下面の少なくとも一方に前記音響孔を設けたことを特徴とする防災装置。
【発明の詳細な説明】
【技術分野】
【０００１】
本発明は、位置表示灯及び音響孔を備え、又は、更に発信機を備え、火災時などに操作して異常発生を知らせる防災機器収容箱、消火栓装置等の防災装置に関する。
【背景技術】
【０００２】
従来、防災機器収容箱には、発信機と表示灯（この場合、位置表示灯）が設けられ、更に、内蔵したベルやブザーに対応して音響孔が設けられている。
【０００３】
位置表示灯は赤色表示灯を使用し、常時点灯して防災機器収容箱の位置を示して、非常の際に周囲の人に発信機の場所を認識させる。発信機は、発信機カバーに配置された保護板を押し込むことにより押釦スイッチをオン操作し、受信機へ火災通報信号を送信して警報させる。受信機は発信機からの火災通報信号を受信して火災警報を出力した場合、火災通報信号を送信した防災機器収容箱に地区音響信号を送出し、これにより防災機器収容箱のベルやブザーを鳴動して火災警報音を出力させる。
【０００４】
ところで、従来の防災機器収容箱は、発信機、位置表示灯及び音響孔を設置しているが、これらの設置スペースを低減して防災機器収容箱を小型化するため、位置表示灯と発信機を一体化したものが提案されている。位置表示灯と発信機の一体化は、発信機の周囲を取り囲むように、複数のＬＥＤを分布配置した平坦な発光部材を用いた位置表示灯を配置して面発光させている。
【０００５】
また、このように発信機、位置表示灯、音響孔を備える防災装置として、消火栓装置も知られている。
【先行技術文献】
【特許文献】
【０００６】
【特許文献１】特開平９−１０２０８５号公報
【特許文献２】意匠登録第１００５２８９号公報
【特許文献３】特開２０１８−０２２５４０号公報
【特許文献４】意匠登録第１４９３２７９号公報
【特許文献５】意匠登録第１４９３２８０号公報
【特許文献６】特開２０１６−０５９６４７号公報
【発明の概要】
【発明が解決しようとする課題】
【０００７】
しかしながら、このような発信機と位置表示灯を一体化した防災装置にあっては、発信機は操作部として機能し、位置表示灯と音響孔は報知部として機能するものであるが、操作部と報知部が分けられていないこととなり、操作者が混乱する可能性がある。
【０００８】
また、位置表示灯と発信機の一体化は、構造的に発信機の周囲を取り囲むように位置表示灯を配置する必要があり、位置表示灯の形状は環状に制約され、位置表示灯の意匠性を高めるための自由度が低いという問題がある。
【０００９】
本発明は、収容機器を集約配置することによる設置スペースの低減で小型化しつつ、操作性及び意匠性を向上させることを可能とする防災装置を提供することを目的とする。
【課題を解決するための手段】
【００１０】
（第１発明：防災装置の表示灯と音響孔の集約配置）
本発明は、表示灯と音響孔領域が一ヶ所に集約して設けられたことを特徴とする防災装置であり、例えば、表示灯に開口部及び又は切欠部が設けられ、開口部及び又は切欠部の、少なくとも何れか一つに音響孔が設けられたことを特徴とする。
【００１１】
（第２発明：防災装置の表示灯、音響孔及び発信機の集約配置）
本発明の別の形態は、防災装置であって、発信機、表示灯及び音響孔領域が一ヶ所に集約して設けられたことを特徴とする防災装置であり、例えば、発信機を囲むように表示灯が設けられ、発信機と表示灯の隙間部、表示灯の開口部、及び表示灯の切欠部の、少なくとも何れか一つに音響孔が設けられことを特徴とする。
【００１２】
（表示灯の平坦構造）
表示灯は、防災装置の露出面に沿った略平坦な表示枠を有し、表示枠は拡散透光部材であり、拡散透光部材を照明する光源が表示枠の背後に設けられる。
【００１３】
（表示枠の形状）
表示灯の表示枠は額縁状、格子状、環状又は分割された環状に形成される。
【００１４】
（表示灯と音響孔の一体化）
表示灯に音響孔が設けられる。
【００１５】
（第３発明：音響孔として機能する音響路）
本発明の別の形態は、防災装置であって、表示灯及び／又は表示灯の背後に音響孔として機能する音響路が設けられる。
【００１６】
（第４発明：音響ホーン）
本発明の別の形態は、防災装置であって、表示及び音で各々所定情報を報知する防災装置に於いて、表示灯に音響ホーンを形成し、当該音響ホーンを介して音により各々所定情報を出力させることを特徴とする。
【００１７】
（第５発明：防災装置の前面及び側面に表示面を持つ表示灯と音響孔を集約配置）
本発明の別の形態は、防災装置であって、
収容ケースに、表示灯と音響孔領域が一ヶ所に集約して設けられ、
表示灯は収容ケースの前面及び側面に表示面を有することを特徴とする。
【００１８】
（表示灯と音響孔領域の配置）
表示灯の表示面は、音響孔領域の周縁の一部又は全部を囲む位置若しくは上下及び又は左右から挟む位置に設けられる。
【００１９】
（音響孔を設けた表示灯の表示面）
更に、表示灯の表示枠の前面に音響孔が設けられる。
【００２０】
（表示灯の領域と音響孔の領域の重複配置）
また、第１発明、第２発明及び第５発明において、表示灯の表示面と音響孔領域とが、少なくとも一部が相互に重複するように配置されていることを特徴とする。
【００２１】
（第６発明：防災装置の前面及び側面に表示面を持つ表示灯、発信機及び音響孔を集約配置）
本発明の別の形態は、防災装置であって、
収容ケースに、発信機、表示灯及び音響孔領域が一ヶ所に集約して設けられ、
表示灯は収容ケースの前面及び側面に表示面を有することを特徴とする。
【００２２】
（音響孔を設けた表示灯と発信機の配置）
表示灯の表示面は、発信機の周囲を囲む位置、発信機の周囲の一部を囲む位置若しくは発信機を上下及び又は左右から挟む位置に設けられ、表示灯の少なくとも前面の表示面に音響孔が設けられる。
【００２３】
（押釦スイッチと発信機本体の分離構造）
第２発明及び第６発明の発信機は、発信機本体と保護板を備えた押釦スイッチ及び保守扉とに分離され、
押釦スイッチ及び保守扉は収容ケースの前面に設けられ、発信機本体は収容ケース内に設けられる。
【００２４】
（表示灯と収容ケースの関係）
表示灯の表示面は、収容ケース前面又は収容ケース前面及び側面に対して面一とする。
【００２５】
（発信機と収容ケースの関係）
発信機の露出部（例えば保守扉、押釦）の頂部露出高さは表示面の前面の表示面露出高さ以下とする。
【００２６】
（第７発明：音響孔領域、発信機配置領域及び表示灯の重複）
本発明の別の形態は、防災装置であって、
音響孔領域、発信機配置領域及び表示灯が、設置状態における上下又は左右方向（垂直又は水平方向）で配置位置が少なくとも一部重複するように配置されたことを特徴とする。
【００２７】
例えば、表示灯は、設置状態における収容ケース左右側面の少なくとも一方に表示面を有する。また、表示灯は、設置状態における収容ケース左右側面の少なくとも一方、及び又は上下面の少なくとも一方に音響孔を設ける。
【発明の効果】
【００２８】
（第１発明：防災装置の表示灯と音響孔の集約配置の効果）
本発明は、表示灯と音響孔領域が一ヶ所に集約して設けられたことを特徴とする防災装置であり、例えば、表示灯に開口部及び又は切欠部が設けられ、開口部及び又は切欠部の、少なくとも何れか一つに音響孔が設けられたため、報知部として機能する表示灯と音響孔領域の配置を集約して設置スペースの低減により防災装置を小型化しつつ、従来のように操作部として機能する発信機と報知部として機能する表示灯を一体化したことで生じていた操作者の混乱を確実に回避できる。また、音響孔領域と表示灯の配置を集約しても、表示灯の配置や形状が音響孔領域の配置により制約されることがなく、表示灯の配置や形状の自由度が高く、意匠性を高めることができる。
【００２９】
（第２発明：防災装置の表示灯、音響孔及び発信機の集約配置の効果）
本発明の別の形態は、防災装置であって、発信機、表示灯及び音響孔領域が一ヶ所に集約して設けられたことを特徴とする防災装置であり、例えば、発信機を囲むように表示灯が設けられ、発信機と表示灯の隙間部、表示灯の開口部、及び表示灯の切欠部の、少なくとも何れか一つに音響孔領域が設けられたため、表示灯、音響孔及び発信機の配置を集約して更に設置スペースが低減し、防災装置をより一層小型化することができる。
【００３０】
（表示灯の平坦構造による効果）
また、表示灯は、防災装置の露出面に沿った略平坦な表示枠を有し、表示枠は拡散透光部材であり、拡散透光部材を照明する光源が表示枠の背後に設けられたため、表示灯の表示部は防災装置の露出面に沿った略平坦な表示枠となることで、前方及び側方からの視認性を向上させる様々な表示パターンを容易に形成することができる。
【００３１】
（表示枠の形状による効果）
また、表示灯の表示枠は額縁状、格子状、環状又は分割された環状に形成されたため、前方及び側方からの視認性を確保しつつ様々な形態が可能であり、意匠性を高めることができる。
【００３２】
（表示灯と音響孔の一体化による効果）
また、表示灯に音響孔が設けられたため、防災装置のカバープレートに対する音響孔の加工形成が不要となり、その分、構造を簡単にすることができる。
【００３３】
（第３発明：音響孔として機能する音響路の効果）
また、本発明の別の形態は、防災装置であって、表示灯及び／又は表示灯の背後に音響孔として機能する音響路が設けられたため、音響路の形成により効率良く音を出力、拡散することができ、また、表示灯の背後にのみ音響路を設ける場合には音響路は表示灯に隠れて正面からは見えないことで、新たな意匠性が得られ、意匠性を向上することができる。
【００３４】
（第４発明：音響ホーンの効果）
また、本発明の別の形態は、防災装置であって、表示及び音で各々所定情報を報知する防災装置に於いて、表示灯に音響ホーンを形成し、当該音響ホーンを介して音により所定情報を出力させるようにしたため、音響装置からの音を効率良く外部に出力、拡散することができ、また、音響ホーンの形成により意匠性を大きく向上することができる。
【００３５】
（第５発明の効果）
本発明の別の形態は、防災装置であって、収容ケースに、表示灯と音響孔領域が一ヶ所に集約して設けられ、表示灯は収容ケースの前面及び側面に表示面を有することにより、防災装置を小型化しつつ、従来のように操作部として機能する発信機と報知部として機能する表示灯を一体化したことで生じていた操作者の混乱を確実に回避でき、防災装置を壁面等に設置した状態で、前方からの視認性を維持しつつ側方からの視認性を向上し、意匠性も高めることができる。
【００３６】
（表示灯と音響孔領域の配置の効果）
また、表示灯の表示面は、音響孔領域の周縁の一部又は全部を囲む位置若しくは上下及び又は左右から挟む位置に設けられたため、様々な表示面の形状と配置を行うことができ、防災装置を壁面等に設置した状態で、前方及び側方からの表示灯の視認性の確保され、表示面の配置や形状の自由度が高く、意匠性を高めることができる。
【００３７】
（音響孔領域を設けた表示灯の表示面の効果）
更に、表示灯の表示枠の前面に音響孔領域が設けられたため、表示枠の形状や配置が音響孔領域に制約されることが緩和され、表示枠の形状や配置に関する自由度を高めることができる。
【００３８】
（表示灯の領域と音響孔の領域の重複配置による効果）
また、第１発明、第２発明及び第５発明において、表示灯の表示面と音響孔領域とが、少なくとも一部が相互に重複するように配置されていることで、装置前面に表示灯と音響孔を配置するスペース等の制約が緩和され、設計自由度を向上することができる。
【００３９】
（第６発明の効果）
本発明の別の形態は、防災装置であって、収容ケースの前面に、発信機、表示灯及び音響孔領域が一ヶ所に集約して設けられ、表示灯は収容ケースの前面及び側面に表示面を有することにより、防災装置をより一層小型化することができ、また、防災装置を壁面等に設置した状態で、前方からの視認性を確保しつつ側方からの視認性を向上し、意匠性も高めることができる。
【００４０】
（音響孔を設けた表示灯と発信機の配置の効果）
また、表示灯の表示面は、発信機の周囲を囲む位置、発信機の周囲の一部又は全部を囲む位置若しくは発信機を上下及び又は左右から挟む位置に設けられ、表示灯の少なくとも前面の表示面に音響孔が設けられたため、表示枠が音響孔領域の配置に制約されることがなく、表示枠の形状や配置に関する自由度を高めることができる。
【００４１】
（押釦スイッチと発信機本体の分離構造の効果）
また、第２発明及び第６発明の発信機は、発信機本体と保護板を備えた押釦スイッチ及び保守扉とに分離され、押釦スイッチ及び保守扉は収容ケースの前面に設けられ、発信機本体は収容ケース内に設けられたため、収容ケースの前面には発信機の保護カバー付きの押釦スイッチと保守扉のみが設けられることで、表示灯、音響孔領域の配置自由度が大幅に向上し、発信機をそのまま収容ケースの前面に設けた場合に比べ収容ケースのサイズが大幅に縮小でき、防災装置全体を一層小型化できる。
【００４２】
（表示灯と収容ケースの関係による効果）
また、表示灯の表示面は、収容ケース前面又は収容ケース前面及び側面に対して面一とするようにしたため、表示灯の表示面は収容ケースの前面又は前面及び側面に沿って略平坦となることで、意匠性が向上し、また収容ケース面からの表示灯の突出を抑えることで薄型化でき、また前方及び側方からの視認性を向上させる様々な表示パターンを容易に形成することができる。
【００４３】
（発信機と収容ケースの関係による効果）
また、発信機の露出部（保守扉、押釦）の頂部露出高さは表示面の前面の表示面露出高さ以下とするようにしたため、収容ケース面からの発信機操作部の突出を抑えることができ、人や物の接触等による誤操作を防止できるとともに意匠性の向上等が見込める。
【００４４】
（第７発明：音響孔領域、発信機配置領域及び表示灯の重複）
本発明の別の形態は、防災装置であって、音響孔領域、発信機配置領域及び表示灯が、設置状態における上下又は左右方向（垂直又は水平方向）で配置位置が少なくとも一部重複するように配置されたため、音響孔、発信機及び表示灯を配置するスペース等の制約が緩和され、設計自由度を向上することができる。
【００４５】
加えて、例えば、表示灯は、設置状態における収容ケース左右側面の少なくとも一方に表示面を有し、また、表示灯は、設置状態における収容ケース左右側面の少なくとも一方、及び又は上下面の少なくとも一方に音響孔を設けるようにしたため、側方や上方、下方からの視認性も確保、向上することができる。
【図面の簡単な説明】
【００４６】
【図１】本発明の防災装置の例として位置表示灯と音響孔を一ヶ所にして集約配置した防災機器収容箱の第１実施形態を示した説明図
【図２】防災機器収容箱の分解構造を示した説明図
【図３】位置表示灯を取り出して背後から示した説明図
【図４】図３における音響孔と位置表示灯の内部構造を示した断面図
【図５】図１の発信機側に化粧枠を設けた防災機器収容箱を示した説明図
【図６】防災機器収容箱の第２実施形態を示した説明図
【図７】防災機器収容箱の第３実施形態を示した説明図
【図８】防災機器収容箱の第４実施形態を示した説明図
【図９】防災機器収容箱の第５実施形態を示した説明図
【図１０】防災機器収容箱の第６実施形態を示した説明図
【図１１】発信機、位置表示灯及び音響孔を一ヶ所に集約配置した防災機器収容箱の実施形態を示した説明図
【図１２】位置表示灯と音響孔を一ヶ所に集約配置した消火栓装置の実施形態を示した説明図
【図１３】発信機、位置表示灯及び音響孔を一ヶ所に集約配置した消火栓装置の実施形態を示した説明図
【図１４】カバープレートに位置表示灯と音響孔を集約配置した防災機器収容箱の実施形態を示した説明図
【図１５】位置表示灯に音響孔を設けた防災機器収容箱の実施形態を示した説明図
【図１６】図１５における位置表示灯を取り出して示すと共に内部構造を示した説明図
【図１７】図１５の位置表示灯を取り出して正面と平面断面を示した説明図
【図１８】発信機、位置表示灯及び音響孔を一ヶ所に集約配置した防災機器収容箱の他の実施形態を示した説明図
【図１９】位置表示灯に音響孔を設けた防災機器収容箱の他の実施形態を示した説明図
【図２０】図１９おける位置表示灯の断面を示した説明図
【図２１】位置表示灯に音響路を形成した防災機器収容箱の実施形態を示した説明図
【図２２】図２１における位置表示灯の断面を示した説明図
【図２３】位置表示灯に音響ホーンを形成した防災機器収容箱の実施形態を示した説明図
【図２４】図２３における位置表示灯の断面を示した説明図
【図２５】位置表示灯に音響路と音響ホーンを形成した防災機器収容箱の実施形態を示した説明図
【図２６】図２５における位置表示灯の断面を示した説明図
【図２７】位置表示灯に音響路を形成した防災機器収容箱の他の実施形態を示した説明図
【図２８】図２７における位置表示灯の断面を示した説明図
【図２９】位置表示灯と音響孔領域を一ヶ所に集約配置すると共に表示灯の表示面を前面及び側面に設けた防災機器収容箱の実施形態を示した説明図
【図３０】図２９の防災機器収容箱の分解構造を示した説明図
【図３１】音響孔領域の一部を門型に囲んだ表示灯の表示面を前面及び側面に設けた防災機器収容箱の他の実施形態を示した説明図
【図３２】音響孔領域の一部を矩形に囲んだ表示灯の表示面を前面及び側面に設けた防災機器収容箱の他の実施形態を示した説明図
【図３３】音響孔領域を左右から挟んで配置した表示灯の表示面を前面及び側面に設けた防災機器収容箱の実施形態を示した説明図
【図３４】発信機、位置表示灯及び音響孔領域を一ヶ所に集約配置すると共に表示灯の表示枠を収容ケースの前面、左右側面、上面及び下面に表示面を有するように配置した防災機器収容箱の実施形態を示した説明図
【図３５】図３４の表示枠を分割して配置した防災機器収容箱の実施形態を示した説明図
【図３６】音響孔を収容ケース側面に設けた防災機器収容箱の実施形態を示した説明図
【図３７】音響孔を収容ケース側面に設けた防災機器収容箱の他の実施形態を示した説明図
【図３８】図３６と図３７を組み合わせた防災機器収容箱の実施形態を示した説明図
【発明を実施するための形態】
【００４７】
本発明の防災装置の実施形態として、所定の表示報知情報として装置の所在位置を表示する表示灯、また所定の発音報知情報として火災警報音を出力するための音響孔、スイッチ操作により火災通報信号を出力する発信機を備えた防災機器収容箱を例にとって説明する。なお、防災機器収容箱は、単に、機器収容箱とも呼ばれる。
【００４８】
［実施形態の基本概念：第１発明］
図１は本発明の防災装置の例として位置表示灯と音響孔を一ヶ所に集約配置した防災機器収容箱の第１実施形態を示した説明図、図２は防災機器収容箱の分解構造を示した説明図、図３は位置表示灯を取り出して背後から示した説明図である。
【００４９】
本実施形態の基本概念は、防災機器収容箱１０であって、位置表示灯１４に開口部１４ａ及び又は切欠部が設けられ、開口部１４ａ及び又は切欠部の、少なくとも何れか一つのうち、少なくとも一部に音響孔１６が設けられたものであり、報知部として機能する位置表示灯１４と音響孔１６を一ヶ所に集約して設置スペースの低減により防災機器収容箱１０を小型化し、操作部である発信機１２と、報知部である位置表示灯１２、音響孔１６とを分離して、利用者が混乱しないようにしている。
【００５０】
また、音響孔１６と位置表示灯１４を一ヶ所に集約して配置しても、位置表示灯１４の配置や形状が音響孔１６の配置により制約されることがなく、位置表示灯１４の配置や形状の自由度が高く、意匠性を高めることができる。
【００５１】
また、本発明の他の実施形態にあっては、発信機を囲むように位置表示灯が設けられ、発信機と位置表示灯の隙間部、位置表示灯の開口部、及び位置表示灯の切欠部の、少なくとも何れか一つに音響孔が設けられたため、図１に示した防災機器収容箱１０と同じ操作性と意匠性の向上に加え、位置表示灯、音響孔及び発信機の一ヶ所配置により設置スペースが更に低減し、防災機器収容箱をより一層小型化することができる。
【００５２】
この場合、操作部と報知部が一ヶ所にまとめて配置されることになり、利用者が操作する際、どちらが操作部でどちらが報知部か迷うこともない。
【００５３】
［防災機器収容箱の第１実施形態：第１発明］
（防災機器収容箱の概要）
図１（Ａ）に示すように、第１実施形態の防災機器収容箱１０は、壁面等に設置した場合に露出されるカバープレート１０ａの露出面の下側に発信機１２が配置され、その上側に音響孔１６と位置表示灯１４が集約配置されている。各音響孔１６の開口形状、大きさ、数、配列は音の出力性能、拡散性能、意匠性等を考慮して適宜選択、調整されている。
【００５４】
発信機１２は、その中央に、内蔵した押釦スイッチ２０をオン操作するため透明アクリル板等を用いた保護板１８と、内部に電話ジャックを配置した保守扉２２を設けている。
【００５５】
位置表示灯１４は、矩形の額縁表示枠２８ａを備え、額縁表示枠２８ａの内側に開口部１４ａが形成され、開口部１４ａに位置するプレート面に複数の音響孔１６が形成され、位置表示灯１４と音響孔１６が一ケ所に集約配置されている。なお、図１（Ｂ）に示すように、音響孔１６は、額縁表示枠２８ａの外側に設けるようにしても良い。
【００５６】
図１（Ｂ）においては、カバープレート１０ａに位置表示灯１４と音響孔１６を設けたユニット１５を配置することにより、音響孔１６を配置した領域（想像線で示す音響孔領域１６ａ）と位置表示灯１４の表示面（ここでは額縁表示枠２８ａの前面）とが相互に重複している。ここで、音響孔領域の中心と額縁表示枠２８ａの中心（開口部１４ａの中心）をオフセットして正面視で表示面の一部が音響孔領域と重複するようにしても良い。
【００５７】
図２に示すように、防災機器収容箱１０は、カバープレート１０ａと箱形の本体１０ｂで収容ケースを構成し、カバープレート１０ａに取付けられた位置表示灯１４の背後となる本体１０ｂ内の相対した位置にはブザーやベル等の音響装置２４が配置され、受信機からの地区音響信号により音響装置２４が鳴動されると、その火災警報音を図１に示した位置表示灯１４における額縁表示枠２８ａ内の矩形の開口部１４ａに配置された音響孔１６から出力するようにしている。
【００５８】
位置表示灯１４は、図３に示すように、額縁表示枠２８ａの開口部１４ａに封止部３６を配置して閉鎖しており、封止部３６には図１に示した複数の音響孔１６が設けられる。封止部３６の背後からは円筒取付部３８が延在され、図２に示したカバープレート１０ａの取付穴に円筒取付部３８を嵌め入れることで、カバープレート１０ａに位置表示灯１４が取付けできるようにしている。
【００５９】
また、円筒取付部３８は本体１０ｂに配置した音響装置２４の前方に位置しており、音響装置２４の駆動による火災警報音を導入して音響孔１６から前方に出力させる音響導入ケースとしての機能を兼ね備えている。
【００６０】
（位置表示灯の構造）
図４は図３における音響孔と位置表示灯の内部構造を示した断面図である。図４に示すように、位置表示灯１４は、断面コ字形をもつ前方に開口した環状の表示灯ケース２６を備える。表示灯ケース２６内にはＬＥＤ収納部３０が形成され、底部側に例えば額縁状の回路基板３４が配置され、回路基板３４には光源として機能するＬＥＤ３２が所定間隔で配置されている。
【００６１】
表示灯ケース２６の前面開口には矩形の額縁表示枠２８ａが配置される。額縁表示枠２８ａには赤色に発光する拡散透光部材を使用している。拡散透光部材はＬＥＤ３２による点光源からの光を入射して面発光に変換する部材であり、回路基板３４にリング状に所定間隔で配置したＬＥＤ３２の背光照明による光を拡散透光部材を用いた額縁表示枠２８ａに入射し、額縁表示枠２８ａの表示面の全域を表示領域（発光領域）として略均一に赤色に面発光させる。
【００６２】
また額縁表示枠２８ａの表示面は、外周側に対し内周側を僅かに前方に突出した傾斜表示面に形成しており、この傾斜表示面により横方向から位置表示灯１４を見た場合の視認性を高めるようにしている。なお、傾斜表示面の代わりに湾曲表示面としても良い。
【００６３】
位置表示灯１４における表示灯ケース２６の内側には矩形の開口部１４ａが形成されており、開口部１４ａは封止部３６の嵌め込みにより閉鎖されている。封止部３６は前方に封止面３６ａを備えた箱形の部材であり、封止面３６ａには図１に示したように、音響孔領域１６ａ（図示の二点鎖線で囲んだ領域）に複数の音響孔１６が形成され、封止部３６の後方からは円筒取付部３８が延在され、円筒取付部３８をカバープレート１０ａに形成した取付穴３５に嵌め込むことで、位置表示灯１４をカバープレート１０ａに取付け固定できるようにしている。
【００６４】
また、円筒取付部３８の後部開口は、図２に示した本体１０ｂに配置した音響装置２４に相対しており、音響装置２４からの火災警報音を封止部材３６の内部に導入し、封止面３６ａに形成した音響孔１６から外部に出力させる音響導入ケースとして機能する。
【００６５】
なお、位置表示灯１４のカバープレート１０ａに対する取付構造は、図４に限定されず、適宜の取付構造とすることができる。
【００６６】
このように第１実施形態にあっては、位置表示灯１０における額縁表示枠２８ａの内側に位置する矩形の開口部１４ａに音響孔１６を形成することで、位置表示灯１４と音響孔１６を一ケ所に集約配置したため、設置スペースを低減して防災機器収容箱１０を小型化することに加え、報知部として機能する位置表示灯１４と音響孔１６が一ケ所に集約配置され、従来の操作部として機能する発信機１２と報知部として機能する位置表示灯を一体化した場合のように操作者を混乱させることがなく、火災といった非常時における操作性を向上させることができる。
【００６７】
また、位置表示灯１４の外縁を額縁表示枠２８ａにより矩形環状とすることで、音響孔１６が配置された音響孔配列部に明確な輪郭が付与され、これによっても意匠性を増すことができる。
【００６８】
（発信機の化粧枠）
図５は図１の発信機側に化粧枠を設けた防災機器収容箱を示した説明図である。図５に示すように、本実施形態にあっては、図１に示した第１実施形態の防災機器収容箱１０に対し、更に、カバープレート１０ａに配置された発信機１２の周囲を囲むプレート面に、化粧枠部材、塗装、シールテープ等により化粧枠４０を設けたことを特徴とする。
【００６９】
このため、位置表示灯１４の外縁を額縁表示枠２８ａにより矩形環状とすることで、音響孔１６が配置された音響孔配列部に対する明確な輪郭の付与に加え、発信機１２に同形状の化粧枠４０を設けることで明確な輪郭が付与され、本実施形態の防災機器収容箱１０を壁面等に設置したときのまとまりが良くなり、意匠性を更に増すことができる。
【００７０】
［防災機器収容装置の第２実施形態］
図６は防災機器収容箱の第２実施形態を示した説明図である。図６に示すように、本実施形態の防災機器収容箱１０は、位置表示灯１４に格子表示枠２８ｂを設け、格子表示枠２８ｂにより仕切られた例えば４箇所の開口部の各々に複数の音響孔１６が設けられている。それ以外の構造は第１実施形態と同じなり、同様の作用効果が得られる。
【００７１】
また、本実施形態にあっては、位置表示灯１４に格子表示枠２８ｂを設けたことで、表示領域（表示面の表示領域面積）が増加して視認性が向上し、また、意匠的にも強い印象を与えることができる。
【００７２】
［防災機器収容装置の第３実施形態］
図７は防災機器収容箱の第３実施形態を示した説明図である。図７に示すように、本実施形態の防災機器収容箱１０は、位置表示灯１４に環状表示枠２８ｃを設け、格子表示枠２８ｃにより仕切られた円形開口部に複数の音響孔１６が設けられている。それ以外の構造は第１実施形態と同じなり、同様の作用効果が得られる。
【００７３】
また、本実施形態にあっては、位置表示灯１４に環状表示枠２８ｃを設けたことで、円形の発信機１２とのまとまりが良く、本実施形態の防災機器収容箱１０の意匠性を増すことができる。
【００７４】
［防災機器収容装置の第４実施形態］
図８は防災機器収容箱の第４実施形態を示した説明図である。図８に示すように、本実施形態の防災機器収容箱１０は、位置表示灯１４に環状とクロスを組み合わせて環状表示枠２８ｄを設け、環状表示枠２８ｄにより仕切られた４箇所の扇形開口部の各々に複数の音響孔１６が設けられている。それ以外の構造は第１実施形態と同じなり、同様の作用効果が得られる。
【００７５】
また、本実施形態にあっては、位置表示灯１４に環状とクロスを組み合わせた環状表示枠２８ｄを設けたことで、円形の発信機１２とのまとまりが良く、更に、表示領域（表示面の表示領域面積）が増加して視認性が向上し、また、意匠的にも強い印象を与えることができる。
【００７６】
［防災機器収容装置の第５実施形態］
図９は防災機器収容箱の第５実施形態を示した説明図である。図９に示すように、本実施形態の防災機器収容箱１０は、位置表示灯１４に左右２つに分けた分割環状表示枠２８ｅが設けられ、分割環状表示枠２８ｅにより仕切られた円形開口部及び切欠の部分に複数の音響孔１６が設けられている。それ以外の構造は第１実施形態と同じなり、同様の作用効果が得られる。
【００７７】
また、本実施形態にあっては、位置表示灯１４に左右２つに分けた分割環状表示枠２８ｅを設けたことで、側方からの視認性を向上することができる。
【００７８】
［防災機器収容装置の第６実施形態］
図１０は防災機器収容箱の第６実施形態を示した説明図である。図１０に示すように、本実施形態の防災機器収容箱１０は、位置表示灯１４に切欠環状表示枠２８ｆが設けられており、切欠環状表示枠２８ｆは、外周の上下左右の４箇所に円弧状の切欠４４が形成され、また、その間の４箇所に開口部４６が形成され、切欠環状表示枠２８ｆの内部、切欠４４及び開口部４６の各々に複数の音響孔１６が設けられている。それ以外の構造は第１実施形態と同じなり、同様の作用効果が得られる。
【００７９】
また、本実施形態にあっては、切欠４４及び開口部４６が形成された切欠環状表示枠２８ｆを設けたことで、操作者に強い印象を与えることでき、結果的に視認性を向上することができる。
【００８０】
［発信機、位置表示灯及び音響孔を集約配置した実施形態：第２発明］
図１１は発信機、位置表示灯及び音響孔を一ヶ所に集約配置した防災機器収容箱の実施形態を示した説明図である。
【００８１】
本実施形態にあっては、防災機器収容箱１０のカバープレート１０ａに、発信機１２を囲むように左右上下の４箇所で分割した４つの環状表示枠２８ｇからなる位置表示灯１４が設けられ、想像線で囲んだ音響孔領域１６ａとなる発信機１２と位置表示灯１４の隙間部１４ｂ、及び位置表示灯１４の切欠部１４ｃの各々に音響孔１６が設けられている。
【００８２】
本実施形態によれば、第１実施形態と同じ操作性と意匠性の向上に加え、発信機１２、位置表示灯１４、及び音響孔１６の一ヶ所への集約配置により設置スペースが更に低減し、防災機器収容箱をより一層小型化することができる。
【００８３】
なお、本実施形態における位置表示灯１４の表示枠の形態は、図７、図９又は図１０に示した環状形態のものを設けることもできる。
【００８４】
［消火栓装置］
図１２は位置表示灯と音響孔を一ヶ所に集約配置した消火栓装置の実施形態を示した説明図である。
【００８５】
図１２に示すように、本実施形態の消火栓装置５０は金属製の収納箱５２の前面に、開閉自在に消火栓扉５４を設け、また消火栓扉５４の上部に通報パネル５６を設け、通報パネル５６のカバープレート１０ａに発信機１２を設けると共に音響孔１６と位置表示灯１４を一ヶ所に集約配置している。消火栓扉５４の内部にはノズル付きのホースが収納されている。
【００８６】
位置表示灯１４は、図１の防災機器収容箱１０に設けられた位置表示灯１４と同じであり、矩形の額縁表示枠２８ａを備え、額縁表示枠２８ａの内側に開口部１４ａが形成され、開口部１４ａに位置するプレート面に音響孔１６が形成されている。
【００８７】
本実施形態においても、報知部として機能する位置表示灯１４と音響孔１６を一ヶ所に集約して設置したことで、消火栓箱５０に設けられた通報パネル５６の設置スペースが低減し、操作部である発信機１２と、報知部である位置表示灯１４、音響孔１６とを分離して、利用者が混乱しないようにしている。
【００８８】
また、音響孔１６と位置表示灯１４を一ヶ所に集約して配置しても、位置表示灯１４の配置や形状が音響孔１６の配置により制約されることがなく、位置表示灯１４の配置や形状の自由度が高く、意匠性を高めることができる。
【００８９】
また、位置表示灯１４の外縁を額縁表示枠２８ａにより矩形環状とすることで、音響孔１６が配置された音響孔配列部に明確な輪郭が付与され、これにより意匠性を増すことができる。
【００９０】
なお、図１２の通報パネル５６には、図６、図７、図８、図９又は図１０の防災機器収容箱１０に設けたと同じ位置表示灯１４を設けても良い。
【００９１】
図１３は発信機、位置表示灯及び音響孔を一ヶ所に集約配置した消火栓装置の実施形態を示した説明図である。
【００９２】
図１３に示すように、本実施形態の消火栓装置５０は、消火栓扉５４の上部に設けた通報パネル５６のカバープレート１０ａに、発信機１２、位置表示灯１４及び音響孔１６を一ヶ所に集約して設けている。
【００９３】
位置表示灯１４は、図１１の防災機器収容箱１０に設けられた位置表示灯１４と同じであり、通報パネル５６に、発信機１２を囲むように左右上下の４箇所で分割した分割環状表示枠２８ｇからなる位置表示灯１４が設けられ、発信機１２と位置表示灯１４の隙間部、位置表示灯１４の開口部、及び位置表示灯１４の切欠部の各々に音響孔１６が設けられている。
【００９４】
本実施形態によれば、図１２と同じ操作性と意匠性の向上に加え、発信機１２、位置表示灯１４、及び音響孔１６の一ヶ所配置により設置スペースを更に低減することができる。
【００９５】
［カバープレートに位置表示灯と音響孔を集約配置した実施形態］
図１４はカバープレートに位置表示灯と音響孔を集約配置した防災機器収容箱の実施形態を示した説明図である。
【００９６】
図１４に示すように、図２の防災機器収容箱１０について、本実施形態にあっては、カバープレート１０ａに音響孔１６を設け、音響孔１６を囲んで内側の開口部に位置するように例えば図１に示した額縁表示枠２８ａとＬＥＤ３４を備えた位置表示灯１４をカバープレート１０ａの表面に配置している。このような構造により位置表示灯１４と音響孔１６を一ヶ所に集約配置する構造を簡単にすることができる。勿論、消火栓装置の場合にも同様に適用できる。
【００９７】
［位置表示灯に音響孔を設けた防災機器収容箱の実施形態］
図１５は位置表示灯に音響孔を設けた防災機器収容箱の実施形態を示した説明図、図１６は図１５における位置表示灯を取り出して示すと共に内部構造を示した説明図、図１７は図１５の位置表示灯を取り出して正面と平面断面を示した説明図である。
【００９８】
図１５に示すように、本実施形態の防災機器収容箱１０は、カバープレート１０ａの露出面の下側に発信機１２が配置され、その上側に円形の位置表示灯１４が配置され、位置表示灯１４には音響孔１６が設けられている。
【００９９】
図１６（Ａ）及び図１７（Ａ）に示すように、位置表示灯１４の円形表示枠２８ｈには、音響孔領域１６ａに音響孔１６が二重の環状配置となるように設けられ、また、図１５、図１７（Ａ）に点線で示すように、円形表示枠２８ｈの内部にはＬＥＤ３２が設けられ、ＬＥＤ３２は位置表示灯１４の中央部と、その外側に二重の環状配置となるように設けられている。また、円形表示枠２８ｈの背後には取付円筒部３８が設けられ、カバープレート１０ａの取付穴３５に対する前方からの嵌め込み固定を可能としている。
【０１００】
位置表示灯１４の内部構造は、図１６（Ｂ）及び図１７（Ｂ）に示される。なお、図１７（Ｂ）は図１６（Ｂ）のＸ−Ｘ断面で見た位置表示灯１４の平面断面である。
【０１０１】
図１６（Ｂ）及び図１７（Ｂ）に示すように、円形表示枠２８ｈは赤色の拡散透光部材を使用しており、背後に円筒取付部３８が一体に形成され、背面側に向けて円筒取付部３８に至る外周リブ６０に続き、その内側に環状リブ６２ａ，６２ｂ，６２ｃが同心円状に配置され、外周リブ６０及び環状リブ６２ａ，６２ｂのそれぞれの間と中央部にＬＥＤ収納部６４ａ，６４ｂ，６４ｃが形成されている。
【０１０２】
環状リブ６２ａ，６２ｂの各々には、複数の音響孔が貫通状態で形成されている。また、円形表示枠２８ｈの背後となる円筒取付部３８の底部には円形の回路基板３４が配置されており、回路基板３４の音響孔１６に対応した位置には開口孔３４ａが形成され、音響孔１６と連通して内部に貫通させ、本体１０ｂに配置した音響装置２４からの音を位置表示灯１４の音響孔１６を通して外部に出力するようにしている。なお、音響装置２４は、円筒取付穴３８に直接取り付けるようにしても良い。
【０１０３】
回路基板３４には、図１７（Ｂ）に示すように、同心円状に配置されたＬＥＤ収納部６４ａ，６４ｂ，６４ｃに対応して位置するように、複数のＬＥＤ３２が配置される。例えば、中心のＬＥＤ収納部６４ｃにはＬＥＤ３２が１つ配置され、その外側の同心円状のＬＥＤ収納部６４ｂ，６４ａには例えば各８個のＬＥＤが４５°間隔で配置されている。
【０１０４】
このように回路基板３２に配置された複数のＬＥＤ３２を発光駆動することで、ＬＥＤ３２からの光は拡散透光部材を用いた円形表示枠２８ｈに入射して位置表示灯１４の全面を略均一に赤色に面発光させる。
【０１０５】
本実施形態は、位置表示灯１４に音響孔１６を設けるようにしたことで、第１実施形態と同じ操作性と意匠性の向上に加え、防災機器収容箱１０のカバープレート１０ａに対する音響孔の加工形成が不要となり、その分、構造を簡単にすることができる。
【０１０６】
なお、位置表示灯１４の円形表示枠２８ｈに対する音響孔１６とＬＥＤ３２の配置は一例であり、これに限定されず、例えば、音響孔１６とＬＥＤ３２を交互に放射状に配置しても良い。
【０１０７】
また、図１、図５乃至図１０の実施形態についても、それぞれの実施形態に設けた表示枠に音響孔１６を設けた構造としても良い。また、本実施形態を図１２、図１３に示したように消火栓装置５０に設けても良い。
【０１０８】
［防災機器収容箱の発信機、位置表示灯及び音響孔を集約配置した実施形態］
図１８は発信機、位置表示灯及び音響孔を一ヶ所に集約配置した防災機器収容箱の他の実施形態を示した説明図である。
【０１０９】
図１８に示すように、本実施形態は、防災機器収容箱１０のカバープレート１０ａに、発信機１２を囲むように左右の２箇所で分割した２つの環状表示枠２８ｉからなる位置表示灯１４が設けられ、位置表示灯１４における環状表示枠２８ｉの外周側と内周側に複数の音響孔１６が設けられている。
【０１１０】
本実施形態によれば、第１実施形態と同じ操作性と意匠性の向上に加え、発信機１２、位置表示灯１４、及び音響孔１６の一ヶ所への集約配置により設置スペースが更に低減し、また、防災機器収容箱１０のカバープレート１０ａに対する音響孔の加工形成が不要となり、その分、構造を簡単にすることができる。
【０１１１】
なお、本実施形態における位置表示灯１４の音響孔１６が設けられた表示枠の形態は、もちろん、図１１の位置表示灯１４にも、図１８と同様に、音響孔１６を設けることができる。位置表示灯１４の表示枠の形状は、他の実施形態またそれ以外にも適用できる。また、本実施形態を図１３に示したように消火栓装置５０に設けても良い。
【０１１２】
［位置表示灯に音響孔を設けた防災機器収容箱の実施形態］
図１９は位置表示灯に音響孔を設けた防災機器収容箱の他の実施形態を示した説明図、図２０は図１９における位置表示灯の断面を示した説明図であり、図２０（Ａ）にＡ−Ａ断面を示し、図２０（Ｂ）にＢ−Ｂ断面を示す。
【０１１３】
図１９に示すように、本実施形態の防災機器収容箱１０は、カバープレート１０ａの露出面の下側に発信機１２が配置され、その上側に矩形の位置表示灯１４が配置され、位置表示灯１４には音響孔１６（表示灯側音響孔）が設けられている。
【０１１４】
図１９及び図２０（Ａ）に示すように、位置表示灯１４の矩形表示枠２８ｊには、前面側に円錐状に開いた音響孔１６が例えば３個ずつ３行３列に設けられ、カバープレート１０ａの響孔１６に対応した位置には音響孔１６ａ（カバープレート側音響孔）が設けられ、本体１０ｂに配置した音響装置２４からの音をカバープレート１０ａの音響孔１６ａと位置表示灯１４の音響孔１６を通して外部に出力するようにしている。即ち、この場合、音響孔１６（表示灯側音響孔）は開口部にも相当することになる。
【０１１５】
また、図１９に点線で示すように、矩形表示枠２８ｊの背後には、音響孔１６の間に位置して例えば２個ずつ２行２列にＬＥＤ３２が設けられている。図２０（Ｂ）に示すように、矩形表示枠２８ｊの裏面に位置するカバープレート１０ａには透光孔７０が設けられ、カバープレート１０ａの裏面には回路基板３４が配置され、回路基板３４のカバープレート１０ａの透光孔７０に対応した位置にＬＥＤ３２が配置される。ＬＥＤ３２を発光駆動することで、ＬＥＤ３２からの光は透光孔７０から拡散透光部材を用いた矩形表示枠２８ｊに入射して位置表示灯１４の全面を略均一に赤色に面発光させる。
【０１１６】
本実施形態は、位置表示灯１４とカバープレート１０ａに連通するように音響孔を設けたことで、第１実施形態と同じ操作性と意匠性の向上に加え、位置表示灯１４と音響孔１６を一ヶ所に集約配置する構造を簡単にすることができる。
【０１１７】
なお、矩形表示枠２８ｊの中心とカバープレート側音響孔の配置領域を例えば上下にオフセットしても良い。この場合もカバープレート側音響孔と表示灯側音響孔は対応する位置に設ければ良い。そうすると、表示面と音響孔領域が正面視において一部重複することになる。
【０１１８】
また、本実施形態における位置表示灯１４の矩形表示枠２８ｊの表示面に対する音響孔１６とＬＥＤ３２の配置は一例であり、これに限定されず、適宜の配置としても良い。
【０１１９】
また、図１、図５乃至図１０の実施形態についても、それぞれの実施形態に設けた位置表示灯１４と音響孔１６をカバープレート１０ａに設ける構造としても良い。また、本実施形態を図１２、図１３に示したように消火栓装置５０に設けても良い。更に、図１９、図２０の構成と他の実施形態の構成を組み合わせても良い。
【０１２０】
［位置表示灯に音響路を形成した防災機器収容箱の実施形態：第３発明］
図２１は位置表示灯に音響路を形成した防災機器収容箱の実施形態を示した説明図、図２２は図２１における位置表示灯の断面を示した説明図である。
【０１２１】
図２１に示すように、本実施形態の防災機器収容箱１０は、カバープレート１０ａの露出面の下側に発信機１２が配置され、その上側に矩形の位置表示灯１４が配置されている。
【０１２２】
図２２に示すように、位置表示灯１４の矩形表示枠２８ｋは、前面の矩形枠の背後に断面矩形状で錐状に伸びた突起部７７が形成され、カバープレート１０ａに形成された取付穴７５の中に突起部７７がカバープレート１０ａの前面（露出面）との間に隙間を開けて位置するように、カバープレート１０ａの前面にスペーサ７８を介してネジ６２により固定されており、これによってカバープレート１０ａと矩形表示枠２８ｋとの間に、取付穴７５の隙間から外部に至る音響路７２が形成されている。なお、音響路７２は音響孔を形成したと同様の機能を実現するものである。
【０１２３】
このため本体１０ｂに配置した音響装置２４からの音は、取付穴７５の隙間から矩形表示枠２８ｋの背後に形成された音響路７２を通り、矢印７６に示す経路で外部に出力される。
【０１２４】
また、矩形表示枠２８ｋの背後に形成された突起部７７にはＬＥＤ収納部７４が形成され、回路基板３４に実装したＬＥＤ３２が設けられており、ＬＥＤ３２を発光駆動することで、ＬＥＤ３２からの光は拡散透光部材を用いた矩形表示枠２８ｋに入射して位置表示灯１４の全面を略均一に赤色に面発光させる。
【０１２５】
このように本実施形態は、位置表示灯１４の背後に音響路７２を形成したことで、複数の音響孔を形成したことに相当する音の通り道が確保され、効率良く音を出力できる。また、音響路７２は位置表示灯１４により隠されて見えず、音響孔のない防災機器収容箱１０としての新たな意匠性が得られ、意匠性を大きく向上することが可能となる。
【０１２６】
なお、音の出力性能、拡散性能を調整するため、位置表示灯１４の矩形表示枠２８ｋに音響孔を設けることも妨げない。更に、図１（Ｂ）の実施形態と同様に、表示枠の外側の、カバープレート１０ａに音響孔を設けることも妨げない。
【０１２７】
また、本実施形態における位置表示灯１４の背後に形成する音響路７２とＬＥＤ３２の配置は一例であり、これに限定されず、適宜の配置としても良い。また、本実施形態を図１２、図１３に示したように消火栓装置５０に設けても良い。また、表示枠は矩形以外であっても良く、例えば円形とすることもできる。もちろん、突起部も他の形状であっても良い。
【０１２８】
［位置表示灯に音響ホーンを形成した防災機器収容箱の実施形態：第４発明］
図２３は位置表示灯に音響ホーンを形成した防災機器収容箱の実施形態を示した説明図、図２４は図２３における位置表示灯の中央断面を示した説明図である。
【０１２９】
図２３に示すように、本実施形態の防災機器収容箱１０は、カバープレート１０ａの露出面の下側に発信機１２が配置され、その上側に矩形の位置表示灯１４が配置され、位置表示灯１４の中央には矩形の音響孔１６が形成され、音響孔１６を中心にコーン状に開いた音響ホーン８０が形成されている。
【０１３０】
図２４に示すように、位置表示灯１４の矩形表示枠２８ｍは、中央背後に形成された断面矩形状の突起部８２の中央部に矩形穴となる音響孔１６を貫通しており、音響孔１６の前面側は緩やかに広がることにより、矩形表示枠２８ｍの前面に音響ホーン８０を形成している。このため本体１０ｂに配置した音響装置２４からの音は、音響孔１６を通り、音響ホーン８０によって外部に出力、拡散される。
【０１３１】
矩形表示枠２８ｍの裏面に位置するカバープレート１０ａには透光孔７０が設けられ、カバープレート１０ａの裏面には回路基板３４が配置され、回路基板３４のカバープレート１０ａの透光孔７０に対応した位置にＬＥＤ３２が配置される。ＬＥＤ３２を発光駆動することで、ＬＥＤ３２からの光は透光孔７０から拡散透光部材を用いた矩形表示枠２８ｍに入射して位置表示灯１４の全面を略均一に赤色に面発光させる。
【０１３２】
このように本実施形態は、位置表示灯１４に音響孔１６と音響ホーン８０を形成したことで、設置スペースの低減に加え、音響装置２４からの音を効率良く外部に出力、拡散することができ、また、音響ホーン８０の形成により意匠性を大きく向上することができる。
【０１３３】
なお、音の出力性能、拡散性能を調整するため、表示灯１４の矩形表示枠２８ｍに音響孔を設けることも妨げない。更に、図１（Ｂ）の実施形態同様に、表示枠の外側の、カバープレート１０ａに音響孔を設けることも妨げない。この場合、表示枠に音響孔を設ける際には、カバープレート１０ａの対応する位置にも音響孔を設ける。
【０１３４】
なお、本実施形態における位置表示灯１４に形成する音響孔１６と音響路７２の形状と配置は一例であり、これに限定されず、適宜の形状および配置としても良い。また、本実施形態を図１２、図１３に示したように消火栓装置５０に設けても良い。また、表示枠は矩形以外であっても良く、例えば円形とすることもできる。もちろん、突起部も他の形状であっても良い。
【０１３５】
［位置表示灯に音響路と音響ホーンを形成した防災機器収容箱の実施形態］
図２５は位置表示灯に音響路と音響ホーンを形成した防災機器収容箱の実施形態を示した説明図、図２６は図２５における位置表示灯の中央断面を示した説明図である。
【０１３６】
本実施形態は、図２１及び図２２の実施形態に示した位置表示灯１４の背後に音響路７２を形成した構造と、図２３及び図２４の実施形態に示した位置表示灯１４に音響孔１６と音響ホーン８０を設けた構造とを組み合わせたことを特徴とする。
【０１３７】
図２５に示すように、本実施形態の防災機器収容箱１０は、カバープレート１０ａの露出面の下側に発信機１２が配置され、その上側に矩形の位置表示灯１４が配置され、位置表示灯１４には中央に矩形の音響孔１６が形成され、音響孔１６を中心にコーン状に開いた音響ホーン８０が形成されている。
【０１３８】
即ち、図２６に示すように、位置表示灯１４の矩形表示枠２８ｎは、中央背後に形成された断面矩形状の突起部８２の中に矩形穴となる音響孔１６を貫通しており、音響孔１６の前面側は緩やかに錐状に広がることにより、矩形表示枠２８ｎの前面に音響ホーン８０を形成している。
【０１３９】
また、図２６に示すように、位置表示灯１４の矩形表示枠２８ｎは、カバープレート１０ａに形成された取付穴７５の中に突起部８２がカバープレート１０ａの露出面との間に隙間を開けて位置するように、カバープレート１０ａの前面にスペーサ７８を介してネジ２６により固定されており、これによってカバープレート１０ａと矩形表示枠２８ｎとの間に、取付穴７５の隙間から外部に至る音響路７２が形成されている。
【０１４０】
矩形表示枠２８ｎの裏面に位置するカバープレート１０ａには透光孔７０が設けられ、カバープレート１０ａの裏面には回路基板３４が配置され、回路基板３４のカバープレート１０ａの透光孔７０に対応した位置にＬＥＤ３２が配置される。また回路基板３４には矩形開口３４ａが形成され、矩形開口３４ａの中に、矩形表示枠２８ｎの背後に形成された突起部８２が隙間を開けて位置している。
【０１４１】
回路基板３４のＬＥＤ３２を発光駆動すると、ＬＥＤ３２からの光は透光孔７０から拡散透光部材を用いた矩形表示枠２８ｎに入射して位置表示灯１４の全面を略均一に赤色に面発光させる。
【０１４２】
また、本体１０ｂに配置した音響装置２４からの音は、矩形表示枠２８ｎの中央に形成した音響孔１６を通り、音響ホーン８０によって外部に出力、拡散される。同時に、音響装置２４からの音は、回路基板３４の矩形開口３４ａの隙間、カバープレート１０ａの取付穴７５の隙間から矩形表示枠２８ｎの背後に形成された音響路７２を通り、矢印７６に示す経路で外部に出力される。
【０１４３】
このように本実施形態は、位置表示灯１４に音響孔１６と音響ホーン８０を形成し且つ位置表示灯１４の背後に音響路７２を形成したことで、設置スペースの低減に加え、音響装置２４からの音を効率良く外部に出力することができ、また、音響ホーン８０の形成により意匠性を大きく向上することができる。
【０１４４】
なお、本実施形態における位置表示灯１４に形成する音響ホーン８０、音響路７２、及び位置表示灯１４の背後に形成する音響路７２の形状と配置は一例であり、これに限定されず、適宜の形状および配置としても良い。また、本実施形態を図１２、図１３に示したように消火栓装置５０に設けても良い。突起部８２も他の形状であっても良い。
【０１４５】
［位置表示灯の内部に音響路を形成した防災機器収容箱の実施形態］
図２７は位置表示灯に音響路を形成した防災機器収容箱の他の実施形態を示した説明図、図２８は図２７における位置表示灯の断面（Ｃ−Ｃ断面）を示した説明図である。
【０１４６】
図２７に示すように、本実施形態の防災機器収容箱１０は、カバープレート１０ａの露出面の下側に発信機１２が配置され、その上側に矩形の位置表示灯１４が配置されている。
【０１４７】
図２８に示すように、位置表示灯１４の矩形表示枠２８ｐは、前面の矩形枠の背後に断面矩形状で錐状に伸びた突起部７７が形成され、裏面から表面に錐状に広がる方向に音響路７６が形成され、図２７に示すように、矩形表示枠２８ｐの表面に左右上下に分かれて額縁状に開いた音響孔１６を形成している。
【０１４８】
矩形表示枠２８ｐはカバープレート１０ａに形成された取付穴７５の中央に突起部７７が位置するように、カバープレート１０ａの前面にネジ６２により固定されている。
【０１４９】
矩形表示枠２８ｐの背後に形成された突起部７７にはＬＥＤ収納部７４が形成され、背後配置した回路基板３４にはＬＥＤ３２が設けられている。また突起部７７の背後に配置した回路基板３４には開口３４ｂが形成され、音響路７６を背後に開口している。開口３４ｂは音響孔を構成する。
【０１５０】
また、カバープレート１０ａの、矩形表示枠２８ｐの裏側に滞欧する位置には透光孔７０が設けられ、カバープレート１０ａの裏側には別の回路基板３４が配置され、この回路基板３４のカバープレート１０ａの透光孔７０に対応した位置にＬＥＤ３２が配置されている。
【０１５１】
このように配置されたＬＥＤ３２を発光駆動することで、ＬＥＤ３２からの光は拡散透光部材を用いた矩形表示枠２８ｐに入射して位置表示灯１４の全面を略均一に赤色に面発光させる。
【０１５２】
本体１０ｂに配置した音響装置２４からの音は、回路基板３４の開口３４ｂから矩形表示枠２８ｐの内部に形成された音響路７２を通り、矩形表示枠７６ｐの前面に開口した音響孔１６から外部に出力される。
【０１５３】
このように本実施形態は、位置表示灯１４の内部に音響路７２を形成したことで、音の通り道が確保され、効率良く音を出力、拡散できる。また、音響孔１６は位置表示灯１４における矩形表示枠２８ｐの中に４箇所に分かれた額縁状に開口することで、新たな意匠性が得られ、意匠性を大きく向上することが可能となる。
【０１５４】
なお、本実施形態における位置表示灯１４の内部に形成する音響路７２とＬＥＤ３２の配置は一例であり、これに限定されず、適宜の配置としても良い。また、本実施形態を図１２、図１３に示したように消火栓装置５０に設けても良い。また、表示枠は矩形以外であっても良く、例えば円形とすることもできる。もちろん、突起部も他の形状であっても良い。
【０１５５】
また、本実施形態の、音響路を設けた表示灯を図２５、図２６の実施形態のように、カバープレートとの間に音響路ができるように配置しても良い。
【０１５６】
［表示灯の表示面を前面及び側面に配置した防災機器収容箱の実施形態：第５発明］
図２９は位置表示灯と音響孔領域を一ヶ所に集約配置すると共に表示灯の表示面を前面及び側面に設けた防災機器収容箱の実施形態を示した説明図であり、図２９（Ａ）に正面を示し、図２９（Ｂ）に側面を示す。
【０１５７】
図２９に示すように、本実施形態の防災機器収容箱１０の収容ケースは、カバープレート１０ａと本体１０ｂで構成され、カバープレート１０ａが露出するように壁面等に設置される。
【０１５８】
防災機器収容箱１０を壁面等に設置した場合に露出されるカバープレート１０ａの前面１３ａには発信機１２が配置され、発信機１２に隣接して位置表示灯１４と音響孔１６を開口した音響孔領域１６ａ（図示の二点鎖線で囲んだ領域）が集約して配置される。
【０１５９】
発信機１２は、その中央下部に、内蔵した押釦スイッチ２０をオン操作するため透明アクリル板等を用いた保護板１８と、その上部に、内部に電話ジャックを配置した保守扉２２を設けている。
【０１６０】
一般に防災機器収容箱１０は、集約配置した位置表示灯１４及び音響孔領域１６ａと、発信機１２の並び方向を上下方向として、例えば位置表示灯１４側を上（天井側）、発信機１２側を下（床面側）にして壁面等に設置される。
【０１６１】
位置表示灯１４は、カバープレート１０ａの前面１３ａの上部から左右両側の側面１３ｂに至る略門型の表示枠２８ｑを有し、これにより位置表示灯１４は防災機器収容箱１０の設置状態において収容ケースの前面１３ａと側面１３ｂに表示面１５を有することになる。
【０１６２】
また、前面１３ａにおいて、位置表示灯１４の表示枠２８ｑにより上側及び左右両側が囲まれた領域は音響孔１６を備えた音響孔領域１６ａとなり、これにより位置表示灯１４と音響孔領域１６が一ヶ所に集約して設けられることになる。
【０１６３】
このように本実施形態にあっては、音響孔領域１６ａを囲んで略門型の位置表示灯１４の表示枠２８ｑを一ヶ所に集約して設けたことで、集約配置した位置表示灯１４及び音響孔領域１６ａと発信機１２の並び方向の寸法が縮小し、防災機器収容箱１０を小型化することができる。
【０１６４】
また、位置表示灯１４に設けた前面１３ａの表示面１５により防災機器収容箱１０の設置状態における前方からの視認性が維持され、同時に、側面１３ｂの表示面１５により側方からの視認性が向上し、表示灯全体としての視認性を向上させることができ、且つ新たな意匠性が得られ、意匠性を高めることができる。
【０１６５】
なお、本実施形態にあっては、収容ケースの上面にも表示面を設けており、例えば防災機器収容箱１０を比較的低い位置に設置した場合や防災機器収容箱１０を上方から見通せる場合に、上方からの視認性も確保できる。
【０１６６】
図３０は図２９の防災機器収容箱の分解構造を示した説明図である。図３０に示すように、防災機器収容箱１０の収容ケースは、カバープレート１０ａと箱形の本体１０ｂで構成され、カバープレート１０ａに形成された音響孔領域１６ａの背後となる本体１０ｂ内の相対した位置にはブザーやベル等の音響装置２４が配置され、別に設置された火災受信機からの地区音響信号により音響装置２４が鳴動されると、その火災警報音を図２９（Ａ）に示した音響孔１６から出力するようにしている。
【０１６７】
カバープレート１０ａの前面１３ａの発信機配置位置には段落しによる対応凹部１７が形成され、対応凹部１７に発信機１２が組み込まれており、発信機１２の前面頂部となる前面１２ａはカバープレート１０ａの前面１３ａから数ミリ程度突出している。
【０１６８】
本実施形態では表示枠２８ｑを門型として音響孔領域１６ａ周縁の上側と左右を囲むようにしているが、下側も囲むようにして良い。
【０１６９】
図３１は音響孔領域の一部を門型に囲んだ表示灯の表示面を前面及び側面に設けた防災機器収容箱の他の実施形態を示した説明図であり、図３１（Ａ）に正面を示し、図３１（Ｂ）に側面を示す。
【０１７０】
図３１に示す本実施形態の防災機器収容箱１０は、図２９の実施形態に加え、位置表示灯１４の表示枠２８ｑに、カバープレート１０の音響孔１６（カバープレート側音響孔）に連通する音響孔１６（表示灯側音響孔）を設けて音響孔領域１６ｂとしたことを特徴とし、それ以外は、図２９の実施形態と同じになる。
【０１７１】
ここで、音響孔領域１６ａと音響孔領域１６ｂの両方で全体としての音響孔領域を構成しているので、本実施形態は、位置表示灯１４と音響孔領域の一部（音響孔領域１６ｂ）とが重複して配置されたものとなる。
【０１７２】
なお、表示灯側音響孔は開口部にも相当し、一つの開口部に対し複数のカバープレート側音響孔を配置しても良い。
【０１７３】
このように位置表示灯１４の表示枠２８ｑに音響孔領域１６ｂを設けたことにより、表示枠２８ｑが音響孔領域１６ａの配置に制約されることがなく、表示枠２８ｇの形状や配置に関する自由度を高めることができる。
【０１７４】
また、本実施形態では表示枠２８ｑを門型として音響孔領域１６ａの上側と左右を囲むようにしているが、表示枠２８ｑの下側も囲むようにしても良い。また、その上で、音響領域１６ａの一部が位置表示灯１４の表示枠２８ｑの外周よりも外側、例えば図３２に示すように、発信機１２側に配置されても良い。
【０１７５】
図３３は音響孔領域を左右の両側から挟んで位置表示灯の表示枠を配置し、収容ケース前面及び側面に表示面を設けた防災機器収容箱の実施形態を示した説明図である。図３３に示すように、本実施形態の地区表示灯１４は、表示枠２８ｒを左右に分離し、カバープレート１０ａの前面１３ａに配置した音響孔１６を備えた音響孔領域１６ａを両側から挟むように配置し、これにより位置表示灯１４と音響孔領域１６ａが一ヶ所に集約して設けられる。
【０１７６】
また音響孔領域１６ａの両側に配置した表示枠２８ｒは、防災機器収容箱１０の収容ケースの前面１３ａと側面１３ｂに表示面１５を有することになる。それ以外は、図２９の実施形態と同じになる。
【０１７７】
このように位置表示灯１４の表示枠２８ｒを、音響孔領域１６ａを左右両側から挟むように一ヶ所に集約して設けたことで、集約配置した位置表示灯１４及び音響孔領域１６ａと発信機１２の並び方向の寸法が縮小し、防災機器収容箱１０を小型化することができる。
【０１７８】
また、防災機器収容箱１０の設置状態において、位置表示灯１４に設けた表示枠２８ｒの前面１３ａの表示面１５により前方からの視認性が維持され、同時に、表示枠２８ｒの側部１３ｂの表示面１５により側方からの視認性が向上し、表示灯全体としての視認性を向上させることができ、且つ新たな意匠性が得られ、意匠性を高めることができる。
【０１７９】
なお、本実施形態にあっても、収容ケースの上面にも表示面を設けており、例えば防災機器収容箱１０を比較的低い位置に設置した場合や防災機器収容箱１０を上方から見通せる場合に、上方からの視認性も確保できる。
【０１８０】
また、カバープレート１０ａの左右両側に分離した配置した表示枠２８ｒの前面表示幅Ｗ１と側面表示幅Ｗ２の大小関係は、前面表示幅Ｗ１と側面表示幅Ｗ２を同じにしても良いし、例えば正面からの視認性を確保したい場合は前面表示幅Ｗ１を側面表示幅Ｗ２より大きくし、例えば側面からの視認性を確保したい場合は正面表示幅Ｗ１に対し側面表示幅Ｗ２を大きくすれば良く、前面表示幅Ｗ１と側面表示幅Ｗ２は任意の大小関係とすることを妨げない。この点は、図２９に示した表示枠２８ｑの前面（門型の左右部）と側面の表示幅の関係、および、表示枠２８ｑの前面（門型の上部）と上面の表示幅の関係についても同様である。
【０１８１】
［表示灯の表示面を前面及び側面に配置した防災機器収容箱の実施形態：第６発明］
図３４は発信機、位置表示灯及び音響孔領域を一ヶ所に集約配置すると共に表示灯の表示枠を収容ケースの前面、左右側面、上面及び下面に表示面を有するように配置した防災機器収容箱の実施形態を示した説明図であり、図３４（Ａ）に正面を示し、図３４（Ｂ）に側面を示し、図３４（Ｃ）に平面を示す。
【０１８２】
図３４に示すように、本実施形態の防災機器収容箱１０の収容ケースは、カバープレート１０ａと箱形の本体１０ｂで構成され、防災機器収容箱１０に配置される発信機は、押釦スイッチ２０及び保守扉２２と発信機本体１２ｂとに分離されており、発信機本体１２ｂは収容ケースの本体１０ｂの内部に配置され、カバープレート１０ａの前面１３ａの中央部には、発信機本体１０ｂから分離された押釦スイッチ２０と保守扉２２が露出して配置される。
【０１８３】
押釦スイッチ２０と保守扉２２の露出部の露出高さ、例えば押釦スイッチ２０と保守扉２２の頂部の高さは、位置表示灯１４の前面１３ａの側の表示面の露出高さ以下としている。なお、前面１３ａと前面側の表示面、押釦スイッチ２０及び保守扉２２の露出頂部を面一にしても良い。もちろん、両側側面１３ｂと側面の表示面、上下面と上下表示面についても、図３３に示したように、互いに面一とすることができる。
【０１８４】
押釦スイッチ２０は矩形のスイッチカバーの内部に保護板１８とスイッチ釦を配置しており、発信機本体１２ｂとの間を信号線で接続している。また、保守扉２２の内部には電話ジャックが配置され、発信機本体１２ｂとの間を信号線で接続している。
【０１８５】
位置表示灯１４は、カバープレート１０ａの前面１３ａに露出して配置された発信機の押釦スイッチ２０及び保守扉２２の周囲を矩形に囲むと共にカバープレート１３ａの左右両側面１３ｂに至る表示枠２８ｓを有し、これにより位置表示灯１４は防災機器収容箱１０の収容ケースの前面１３ａと側面１３ｂに表示面１５を有することになる。
【０１８６】
また、本実施形態にあっては、表示枠２８ａはカバープレート１０の上面１３ｃ及び下面１３ｄにも表示面を有するようにしており、その結果、本実施形態における位置表示灯１４の表示枠２８ｓは、カバープレート１０ａの前面周縁及び上下左右面周縁の全周にわたって形成されている。
【０１８７】
カバープレート１０ａの前面１３ａの中央部に配置された押釦スイッチ２０及び保守扉２２を囲んで配置された位置表示灯１４の表示枠２８ｓの部分には、例えば上下左右の４箇所に分けて音響孔１６を備えた音響孔領域１６ａが設けられている。
【０１８８】
カバープレート１０ａの前面１３ａに配置された表示枠２８ｓの音響孔領域１６ａを除いた部分の背後には点線で示すようにＬＥＤ３２が適宜配置され、表示枠２８ｓの背光照明により、前面１３ａ、左右側面１３ｂ、上面１３ｃ及び下面１３ｄを含む表示枠２８ｓの全面を略均一に赤色に面発光させる。
【０１８９】
ここで、発信機本体１２ｂから分離された押釦スイッチ２０及び保守扉２２は、例えば図２９に示した押釦スイッチ２０及び保守扉２２を一体に備えた発信機１２に比べると、その配置スペースは狭い範囲で済む。即ち例えば、内蔵された発信機本体１２ｂの外周よりも表示枠２８ｓの前面開口を小さくすることができる。
【０１９０】
このように本実施形態の防災機器収容箱１０は、カバープレート１０ａの全周にわたって形成された表示枠２８ｓを有する位置表示灯１４、表示枠２８ｓに重複して設けられた音響孔領域１６ａ、及び、発信機本体１０ｂから分離された押釦スイッチ２０と保守扉２２を一ケ所に集約して設けたことにより、防災機器収容箱１０のサイズは、図２９の実施形態に比べ大幅に小型化することができる。
【０１９１】
また、位置表示灯１４の表示枠２８ｓには音響孔領域１６ａが重複して配置されており、表示枠２８ｓがその配置上、音響孔領域１６ａに制約されることがなく、表示枠２８ｓの形状や配置に関する自由度を高めることができる。なお、表示灯側音響孔は開口部にも相当し、一つの開口部に対し複数のカバープレート側音響孔を配置しても良い。
【０１９２】
また、防災機器収容箱１０の設置状態において、位置表示灯１４に設けた表示枠２８ｓの前面１３ａの表示面１５により前方からの視認性が維持され、同時に、表示枠２８ｓの左右両側の側面１３ｂの表示面１５により側方からの視認性が向上し、表示灯全体としての視認性を向上させることができ、且つ新たな意匠性が得られ、意匠性を高めることができる。
【０１９３】
また、防災機器収容箱１０を壁面等に設置した状態で上方及び又は下方から利用者が見ることのできる設置環境にあっては、位置表示灯２８に設けた表示枠２８ｓの上面１３ｃ及び下面１３ｄの表示面１５により、上方及び下方からの視認性が向上し、表示灯全体としての視認性を向上させることができる。
【０１９４】
更に、発信機本体１２ｂから分離した押釦スイッチ２０の周囲を囲んで配置された表示枠２８ｓにより、操作部として機能する発信機の押釦スイッチ２０の存在がより明確に認識されやすくなるので、発信機の押釦スイッチ２０の位置が分かり易くなり、利用者は迷うことなく発信機の押釦スイッチ２０を操作することが可能となる。この点は、発信機本体１２ｂから分離して配置された保守扉２２についても同様であり、点検時等に担当者は迷うことなく保守扉２２を開いて携帯している電話機のプラグを電話ジャックに差し込んで通話連絡を行うことが可能となる。
【０１９５】
なお、カバープレート１０ａの前面に配置した位置表示灯１４の表示枠２８ｓは、発信機本体１２ｂから分離配置した押釦スイッチ２０及び保守扉２２の周囲を矩形に囲むように配置しているが、これに限定されず、例えば円形又は楕円形に囲むように配置しても良いし、また例えば、図２９や図３１に示した音響孔領域の周縁の一部を囲むのと同様に、発信機の露出部の周囲の一部を例えば門型等に囲む表示枠としても良い。また、例えば図３５に示すように、表示枠２８ｓを分割して配置しても良いし、表示枠を収容ケースの正面視で四隅に設けるようにするなど適宜の形状配置を選択し得る。
【０１９６】
また、位置表示灯１４の表示枠２８ｓにおける音響孔１６を備えた音響孔領域１６ａの他の構造として、表示枠２８ｓに音響孔領域１６ａとなる開口を形成し、この開口内に位置するカバープレート１０ａの前面１３の部分に音響孔１６を形成するようにしても良い。
【０１９７】
また、本実施形態におけるカバープレート１０ａの前面１３ａと側面１３ｂのつなぎ目は、例えば図３４（Ｃ）の平面図に示すように、Ｒ面状としているが、これに限定されず、例えばＣ面状（面取り状）とし、カバープレート１０の側面１３ｂの表示面１５はこれらの形状に沿うように形成しても良い。この点は、カバープレート１０の前面１３ａと上面１３ｃ及び下面１３ｄとのつなぎ目についても同様である。
【０１９８】
［音響孔を収容ケース側面に設けた防災機器収容箱の実施形態：第７発明］
図３６は音響孔を収容ケース側面に設けた防災機器収容箱の実施形態であり、図３６（Ａ）に正面を示し、図３６（Ｂ）に側面を示す。防災機器収容箱１０は通常、図３６（Ａ）に示した矢印の向きを上側にして設置されるものとする。本実施形態にあっては、カバープレート１０ａの前面に、図３４の実施形態と同様に、発信機本体から分離された保護板１８を備えた押釦スイッチ２０と保守扉２２が配置され、押釦スイッチ２０と保守扉２２が配置された発信機配置領域１２ｃ（収容ケースに内蔵された発信機本体を含む発信機全体の配置範囲を正面から見た範囲領域）を両側から挟むように、カバープレート１０ａの前面の左右両側に分離して位置表示灯１４の表示枠２８ｔが配置され、この表示枠２８ｔの内側（押釦スイッチ２０と保守扉２２の配置側）に沿って複数の音響孔１６を備えた音響孔領域１６ａが配置され、また、表示枠２８ｔはカバープレート１０ａの左右両側の側面にも表示面を有しており、この表示枠２８ｔに沿って本体１０ｂに複数の音響孔１６を備えた音響孔領域１６ａが配置される。こここで、本実施形態の防災機器収容箱１０は、その上下方向に音響孔領域１６ａ、発信機配置領域１２ｃ及び表示灯１４の配置が重複する配置重複部９０を有している。
【０１９９】
なお、表示枠２８ｔに沿ったカバープレート１０ａの側面にも音響孔領域１６ａが配置される。
【０２００】
このように音響孔１６を設けた音響孔領域１６ａが収容ケース側面に配置されることで、収容ケース前面のスペースが低減し、防災機器収容箱１０の更なる小型化が可能となる。
【０２０１】
また、音響孔領域１６ａ、発信機配置領域１２ｃ及び位置表示灯１４の表示枠２８ｔが、設置状態における上下方向（垂直方向）で配置位置が少なくとも一部重複するように配置されていることで、音響孔１６、発信機領域１２ｃ及び位置表示灯１４を配置するスペース等の制約が緩和され、設計自由度を向上することができる。
【０２０２】
なお、図３６（Ｃ）に示すように、防災機器収容箱１０の収容ケース上面にも表示灯１４の表示面を設けることができ、下面についても同様である。
【０２０３】
図３７は音響孔を収容ケース側面に設けた防災機器収容箱の他の実施形態であり、カバープレート１０ａの前面の左右両側に分離して配置した表示枠２８ｔに重複して複数の音響孔１６（カバープレート側音響孔及び表示灯側音響孔）を備えた音響孔領域１６ａが配置され、また、同様に、カバープレート１０ａの左右両側の側面に配置した表示枠２８ｔに重複して複数の音響孔１６を備えた音響孔領域１６ａが配置されており、この場合も図３６の実施形態と同様に配置重複部９０を有する。
【０２０４】
ここでも、図３７（Ｃ）に示すように、防災機器収容箱１０の収容ケース上面にも表示灯１４の表示面を設けることができ、下面についても同様である。
【０２０５】
図３８は音響孔領域を左右から挟んで配置した表示灯の表示面を前面及び側面に設けた防災機器収容箱の実施形態を示した説明図であり、図３６と図３７を組み合わせたことを特徴とする。  
【０２０６】
なお、図３６乃至図３８は音響孔を収容ケース側面に設けているが、同様に収容ケースの上下面に設けても良い。また、図３６乃至図３８において、音響孔を収容ケース前面には設けず、収容ケースの側面又は上下面に設けるようにしても良い。
【０２０７】
また、収容ケースの左右両側に分離した配置した表示枠２８ｔの前面表示幅と側面表示幅は、図３３の実施形態と同様、任意の大小関係とすることを妨げない。
【０２０８】
なお、図３５乃至図３８の防災機器収容箱を、上下を反対にして設置することを妨げない。これに限らず、例えば図３８乃至３８の防災機器収容箱１０を横向きに設置することもでき、この場合は各図の左右（水平）方向が設置状態における上下（垂直）方向となり、配置重複部９０は設置状態における左右（水平）方向に沿って形成されていることになる。言うまでもなく、横向きに設置した場合には図示の収容ケース上下の表示面が設置状態の左右側面の表示面となり、図示の収容ケース左右側面の表示面が設置状態の上下の表示面となる。
【０２０９】
また、図３６乃至図３８の音響孔領域、発信機配置領域及び表示灯が、設置状態で配置位置が少なくとも一部重複するように配置する防災装置の実施形態には、図１１、図１３、図１８、図３４及び図３５に示した防災装置の実施形態も含まれる。
【０２１０】
［本発明の変形例］
図２９乃至図３８の実施形態において、表示枠の側面の表示面は、収容ケースの本体側まで伸延するようにしても良い。また、収容ケースの前面に表示面を有する表示枠と側面に表示面を有する表示枠とに分離しても良い。
【０２１１】
また、図２９乃至図３８の実施形態において、左右側面の表示面は、側方からの視認性向上を要する一方のみに設けるようにしても良い。上下面の表示面についても同様である。
【０２１２】
また、各実施形態の収容ケースは一部を壁面に埋め込んで設置するものであっても良く、図２９乃至図３４の実施形態にあっては、少なくとも、収容ケース側面の表示面の一部が壁面から露出するようにすれば良い。例えば図２９の実施形態で説明した通り、表示枠を設けたカバープレートを壁面から露出させ、本体を壁面に埋め込むようにすることができる。
【０２１３】
上記の実施形態における位置表示灯と音響孔領域を一ヶ所に集約配置する構成は、火災受信機に設けられる表示部と音響出力部を一箇所に集約配置する構成に適用することができる。
【０２１４】
また、上記の防災機器収容箱の実施形態は、音響孔と一ヶ所に配置した位置表示灯と発信機とを縦並びに配置する場合を例にとっているが、本発明の目的に沿う範囲で横並びに配置するようにしても良い。
【０２１５】
また、上記の実施形態にあっては、位置表示灯の表示枠に拡散透光部材を使用しているが、例えば適宜の導光部材を使用しても良い。一例として導光部材は、例えばアクリル製の導光板の裏面に反射ドットを印刷しており、導光板のエッジから入射した光をアクリルの全反射を用いてアクリル全面に導き、反射ドットに当たった光がその進路を変え、全反射角よりも小さい角度になった光がアクリル前面から出てくることを利用して、導光板全面を均一に赤く光るようにするものが採用できる。その他、公知の照明、導光、透光、光拡散方法を適用し得る。
【０２１６】
また、本発明は、機器収容箱、消火栓装置以外の防災装置にも適用できる。
【０２１７】
また、表示灯は、位置表示灯の他、例えば火災等の異常を表示する表示灯や、その他の表示灯であっても良い。
【０２１８】
また、本発明は、表示灯と音響孔を集約配置できる場合、発信機を備えない防災装置にも適用できる。
【０２１９】
また、本発明は上記の実施形態に限定されず、その目的と利点を損なうことのない適宜の変形を含み、例えば上記各実施形態を適宜組み合わせても良いし、それ以外の変形を適用しても良い。
【０２２０】
また、上記の実施形態では表示灯の表示枠における表示面の全域が表示領域（発光領域）である場合を例にとっているが、表示面の一部を表示領域としても良い。
【０２２１】
また、本発明は更に、上記の実施形態に示した形状や数値による限定は受けない。
【符号の説明】
【０２２２】
１０：防災機器収容箱
１０ａ：カバープレー
１０ｂ：本体
１２：発信機
１２ｂ：発信機本体
１３ａ：前面
１３ｂ：側面
１４：位置表示灯
１４ａ，４６：開口部
１４ｂ：隙間部
１４ｃ：切欠部
１５：表示面
１６：音響孔
１６ａ，１６ｂ：音響孔領域
１８：保護板
２０：押釦スイッチ
２２：保守扉
２４：音響装置
２６：表示灯ケース
２８ａ：額縁表示枠
２８ｂ：格子表示枠
２８ｃ，２８ｄ：環状表示枠
２８ｅ，２８ｇ，２８ｉ：分割環状表示枠
２８ｆ：切欠環状表示枠
２８ｈ：円形表示枠
２８ｊ，２８ｋ，２８ｍ，２８ｎ，２８ｐ：矩形表示枠
２８ｑ，２８ｒ，２８ｓ，２８ｔ：表示枠
３０，７４：ＬＥＤ収納部
３２：ＬＥＤ
３４：回路基板
３５：取付穴
３６：封止部
３６ａ：封止面
３８：円筒取付部
４０：化粧枠
５０：消火栓装置
５４：通報パネル
５６：消火栓扉
６０：外周リブ
６２ａ〜６２ｃ：環状リブ
６４ａ〜６４ｃ：ＬＥＤ収納部
７０：透光孔
７２：音響路
７５：取付穴
７８：スペーサ
８０：音響ホーン
【図１】
2020115319.tif 000003
【図２】
2020115319.tif 000004
【図３】
2020115319.tif 000005
【図４】
2020115319.tif 000006
【図５】
2020115319.tif 000007
【図６】
2020115319.tif 000008
【図７】
2020115319.tif 000009
【図８】
2020115319.tif 000010
【図９】
2020115319.tif 000011
【図１０】
2020115319.tif 000012
【図１１】
2020115319.tif 000013
【図１２】
2020115319.tif 000014
【図１３】
2020115319.tif 000015
【図１４】
2020115319.tif 000016
【図１５】
2020115319.tif 000017
【図１６】
2020115319.tif 000018
【図１７】
2020115319.tif 000019
【図１８】
2020115319.tif 000020
【図１９】
2020115319.tif 000021
【図２０】
2020115319.tif 000022
【図２１】
2020115319.tif 000023
【図２２】
2020115319.tif 000024
【図２３】
2020115319.tif 000025
【図２４】
2020115319.tif 000026
【図２５】
2020115319.tif 000027
【図２６】
2020115319.tif 000028
【図２７】
2020115319.tif 000029
【図２８】
2020115319.tif 000030
【図２９】
2020115319.tif 000031
【図３０】
2020115319.tif 000032
【図３１】
2020115319.tif 000033
【図３２】
2020115319.tif 000034
【図３３】
2020115319.tif 000035
【図３４】
2020115319.tif 000036
【図３５】
2020115319.tif 000037
【図３６】
2020115319.tif 000038
【図３７】
2020115319.tif 000039
【図３８】
2020115319.tif 000040